(57)【特許請求の範囲】
【請求項１】
電磁的に遮蔽されたシールドボックス内に送信用アンテナを配設するとともに評価対象の無線端末機を設置し、送信用アンテナから無線信号を送信して無線端末機が受信する信号の電磁界環境特性を再現する電磁界環境特性評価システムにおいて、
シールドボックス内に複数の送信用アンテナを配設するとともに、無線端末機に受信信号に関する情報信号を光信号として送信する手段を設け、
更に、シールドボックス内に無線端末機から送信された受信情報信号を受信する光センサを配設して、シールドボックスの外部に設けた評価制御手段に当該光センサを介して無線端末機の受信情報信号を入力することを特徴とする無線端末機の電磁界環境特性評価システム。
【請求項２】
請求項１に記載の無線端末機の電磁界環境特性評価システムにおいて、
シールドボックス内に回転テーブルを設置して当該回転テーブル上に無線端末機を設置し、
また、当該無線端末機からの受信情報信号を受信する光センサを複数個配設して、これら光センサで受信した受信情報信号を合成して評価制御手段に入力することを特徴とする無線端末機の電磁界環境特性評価システム。
【請求項３】
電磁的に遮蔽されたシールドボックス内に送信用アンテナを配設するとともに評価対象の無線端末機を設置し、送信用アンテナから無線信号を送信して無線端末機が受信する信号の電磁界環境特性を再現する電磁界環境特性評価システムにおいて、
シールドボックス内に複数の送信用アンテナを配設するとともに、無線端末機に受信信号に関する情報信号を音声信号として送信する手段を設け、
更に、シールドボックス内に無線端末機から送信された受信情報信号を受信するマイクロホンを配設して、シールドボックスの外部に設けた評価制御手段に当該マイクロホンを介して無線端末機の受信情報信号を入力することを特徴とする無線端末機の電磁界環境特性評価システム。
【請求項４】
請求項３に記載の無線端末機の電磁界環境特性評価システムにおいて、
シールドボックス内に回転テーブルを設置して当該回転テーブル上に無線端末機を設置し、
また、当該無線端末機からの受信情報信号を受信するマイクロホンを複数個配設して、これらマイクロホンで受信した受信情報信号を合成して評価制御手段に入力することを特徴とする無線端末機の電磁界環境特性評価システム。
【請求項５】
請求項１乃至請求項４のいずれか１項に記載の無線端末機の電磁界環境特性評価システムにおいて、
シールドボックスの内壁の一部或いは全部に電波吸収体を設けたことを特徴とする無線端末機の電磁界環境特性評価システム。
【発明の詳細な説明】
【０００１】
【発明の属する技術分野】
本発明は、移動体通信機等といった無線端末機の電磁界環境特性評価を、簡易な構成で実現するシステムに関する。
【０００２】
【従来の技術】
近年、例えば移動体通信システムはセルラー電話等のサービスエリアの拡大や通信コストの低減等に伴って急速に普及しており、これに伴って、当該システムで用いられる携帯無線端末機（携帯電話機）の屋外伝搬環境下における特性を評価する技術の重要性も益々高まっている。
特に、都市内での移動体通信のように多重波が到来する環境下では、携帯無線端末機の移動に伴って激しいフェージングが生じるため、静的な特性評価だけでは不十分である。
【０００３】
従来より、携帯無線端末機の特性評価方法は多くのものが提案されているが、実際に屋外で測定を行う評価方法としては図１０に示すようなものがあった。すなわち、簡易基地局１を設置して、都市内の測定路２を移動する携帯無線端末機（被試験機）から送信されてくる電波を簡易基地局１で受信して、当該環境下における携帯無線端末機の特性を評価する方法である。
しかしながら、このように実際に屋外で測定を行う方法にあっては、天候、時間、周囲の環境等によって測定した受信電界強度が変化してしまうため、正確な評価を行うためには数多くの測定を行って統計的に評価しなければならず、膨大な時間と労力を要してしまうといった問題があった。
【０００４】
一方、携帯無線端末機の特性評価を屋内で行う方法も従来より提案されており、その一例として図１１に示すようなものがあった。すなわち、フェージングシミュレータ３と携帯無線端末機４のアンテナとをケーブル５で直接接続し、フェージングシミュレータ３から出力したフェージング信号をケーブル５を介して携帯無線端末機４に受信させて、携帯無線端末機４の受信レベルによりその特性を評価する方法である。
しかしながら、このようにフェージング信号をケーブル５を介して携帯無線端末機４に受信させる方法にあっては、空間的に広がりをもった環境下でアンテナにより無線信号を受信するという状況を再現することができず、携帯無線端末機４のアンテナ系全体を含めた評価を行うことができないといった問題があった。
【０００５】
また、携帯無線端末機のアンテナの特性評価を屋内で行う方法も従来より提案されており、その一例として図１２に示すようなものがあった。すなわち、内部に受信機能を有しない携帯無線端末機筺体６上に評価対象のアンテナ７を設置して、これを電磁的に遮蔽された金属壁のシールドボックス８内に設置する。また、シールドボックス８内には３本の送信用アンテナ９ａ〜９ｃを設置し、シールドボックス外部の標準信号発生器１０からの信号を分配して移相器１１ａ〜１１ｃでランダムな位相変化をつけて各送信用アンテナ９ａ〜９ｃへ送信する。
したがって、位相差をつけられた電波が各送信用アンテナ９ａ〜９ｃからシールドボックス８内に送信されて、シールドボックス８内の電界強度がランダムに変動するため、屋外での移動体通信と同様な環境が実現される。
【０００６】
また、評価対象のアンテナ７はケーブル１２を介してシールドボックス外部の受信機１３に接続されており、アンテナ７で受信した信号はケーブル１２を介して受信機１３で受信される。そして、受信機１３で受信した信号はＡ／Ｄ変換器１４でデジタル変換されてパーソナルコンピュータ１５に入力され、パーソナルコンピュータ１５による演算処理によって、アンテナ７による受信電界強度データが取得される。なお、パーソナルコンピュータ１５は移相器１１ａ〜１１ｃによる位相変化の制御も行い、シールドボックス８内の電磁界環境を種々変更して受信電界強度データを取得する。
【０００７】
しかしながら、このようにアンテナ７と外部の受信機１３とをケーブル１２で接続する方法にあっては、ケーブル１２がシールドボックス８内に引き回されて測定環境の再現性が損なわれるばかりか、ケーブル１２に流れる電流によってシールドボックス８内の電界環境が乱されてしまい、正確な評価が行えないといった問題があった。
【０００８】
【発明が解決しようとする課題】
上記のように、時間や労力を節約するために、屋内においてフィールドシミュレーションを行う場合にあっては、無線端末機の十分な特性評価を行うことができないという問題があった。
本発明は、上記従来の事情に鑑みなされたもので、屋内におけるシミュレーションによって無線端末機の十分な特性評価を行うことができる電磁界環境特性評価システムを提供することを目的とする。
ここで、無線端末機には無線電波を受信させ、その受信信号に関する情報信号を送信させるが、特に本発明では、無線端末機に受信させる信号と無線端末機から送信される信号との干渉も防止して、より精度の高い評価を実現することを目的とする。
【０００９】
【課題を解決するための手段】
本発明に係る無線端末機の電磁界環境特性評価システムでは、電磁的に遮蔽されたシールドボックス内に送信用アンテナを配設するとともに評価対象の無線端末機を設置し、送信用アンテナから無線信号を送信して無線端末機が受信する信号の電磁界環境特性を再現する。
ここにおいて、本発明では、無線端末機に電界強度等の受信信号に関する情報信号を光信号又は音声信号といった無線電波以外の信号として送信する手段を設けてあり、また、シールドボックス内に複数の送信用アンテナを配設するとともに、シールドボックス内に無線端末機から送信された受信情報信号を受信する光センサ又はマイクロホンを配設してある。これによって、シールドボックス内における無線端末機の受信情報信号をシールドボックスの外部に設けた評価制御手段に光信号又は音声信号を介して入力する。
【００１０】
これによって、天候、時間、周囲環境等の影響を受けずに再現性に優れた測定を実施することができ、且つ、アンテナ系を含めた無線端末機の全体としての特性評価をケーブルを用いることなく空間をインタフェースとして正確に行うことができる。
そして、無線端末機から送信される受信情報信号は無線電波ではないため、評価試験を行うために送信用アンテナから送信される無線電波と干渉を生ずることはない。
【００１１】
また、本発明に係る電磁界環境特性評価システムでは、シールドボックス内に回転テーブルを設置して当該回転テーブル上に無線端末機を設置するとともに、無線端末機から受信信号情報を受信する光センサ又はマイクロホンを複数個配設している。
これによって、無線端末機のアンテナ指向性を考慮に入れて様々な到来方向からの無線信号を無線端末機に受信させて受信評価を行うことができるとともに、無線端末機から送信される受信情報信号を確実に受信することができる。
【００１２】
また、本発明に係る電磁界環境特性評価システムでは、シールドボックスの内壁の一部或いは全部に電波吸収体を設けてある。
これによって、シールドボックス内の空間体積を小さくした場合にあっても、無線端末機のアンテナ入力インピーダンスの変動を回避することができ、安定した測定を実施することができる。
【００１３】
【発明の実施の形態】
本発明に係る携帯無線端末機の電磁界環境特性評価システムを、図面を参照して説明する。
図１には、携帯無線端末機２２からの受信情報信号を光信号の形式で受信する第１実施形態に係る電磁界環境特性評価システムの全体構成を、シールドボックス２０を透視した状態で示してある。
【００１４】
シールドボックス２０は金属製の直方体形状の箱体であり、シールドボックス２０の内部空間は外部と電磁的に遮蔽されている。
本実施形態では測定周波数を８００ＭＨｚとしていることから、シールドボックス２０の幅Ｗを１６７０ｍｍ、高さＨを１３３０ｍｍ、奥行きＬを２０００ｍｍとしてある。
なお、シールドボックス２０の大きさには特に限定はないが、シールドボックス２０の内部空間の体積を大きくすると、比較的大型の携帯無線端末機を評価する場合にあっても良好な評価環境を保つことができる。
【００１５】
因みに、良好な評価環境を保つためには、評価対象の携帯無線端末機２２はシールドボックスの内部空間体積の約２％以下の体積であるのが好ましい。
また、シールドボックス２０をより小型化する場合には、シールドボックスの内壁面の全体或いは一部を電波吸収体２１で覆い、シールドボックス２０の内部に設置した携帯無線端末機（評価対象）２２のアンテナ入力インピーダンス変化を回避するようにすれば、良好な評価環境を保つことができる。なお、本実施形態では、携帯無線端末機２２の背面となる内壁面のみを電波吸収体２１で覆っている。
【００１６】
シールドボックス２０の携帯無線端末機２２に対向する一壁面には３本の送信用アンテナ２３ａ〜２３ｃが設けられており、これら送信用アンテナ２３ａ〜２３ｃの先端部はシールドボックス２０の内部空間内に臨んでいる。なお、各送信用アンテナ２３ａ〜２３ｃは互いに間隔を隔てて設けられており、この間隔は測定に用いる無線信号の約１波長以上に設定して、これらアンテナ間の結合を抑制して独立した信号源となるようにしている。
また、シールドボックス２０の同一壁面には光センサ２４が設けられており、この光センサ２４の受光面もシールドボックス２０の内部空間内に臨んでいる。
【００１７】
なお、送信用アンテナ２３ａ〜２３ｃの形式には特に限定はなく、標準ダイポールアンテナ等の線状アンテナ、プリント基板等に印刷した平面アンテナや板状アンテナ等を用いることができる。また、これらのアンテナは壁面に対して傾けて（チルト）用いてもよく、これによって、アンテナ間結合及び交差偏波識別度（ＸＰＤ）を可変にすることができる。
また、本実施形態では全てのアンテナ２３ａ〜２３ｃを同一の壁面に設置しているが、これらアンテナの設置位置には特に限定はなく、例えば図２に示すように送信用アンテナ２３ａ〜２３ｃを互いに異なる壁面に設置するようにしてもよい。また、アンテナ２３ａ〜２３ｃは壁面で囲まれたコーナー部に設置するのを避けるのが好ましい。
【００１８】
また、送信用アンテナの本数は２本以上が必要であり、弱電界感度試験等には問題がないが、シールドボックス２０内部の電界強度における相関係数と密接な関係があり、この相関係数を屋外環境と同様に低い相関係数に近付けるためには、公知のように送信用アンテナの本数は３本以上必要である（信学技報、ＡＰ９４−１、１９９４、”フィールドシミュレータの基礎的検討”）。なお、送信用アンテナは４本以上設けるようにしてもよく、本数が増えることによってより一層相関係数が低下して良好な評価を行える。
参考として、図３には送信用アンテナを３本設けた場合の、シールドボックス２０の中央部における相関係数ヒストグラムを示してあり、相関係数の平均値は約０．２といった屋外環境に匹敵する低い値となり、実用上問題のない値である。
【００１９】
光センサ２４は、ｐｉｎ光検出器、アバランシュ光検出器（ＡＰＤ：Avalanche Photodiode）等といった種々な受光素子を用いることができ、特に、高い量子効率、高速応答性、広帯域特性、低雑音動作性、高信頼性等を有した小型軽量にして少消費電力なものが好ましい。
なお、光センサ２４は、後述するように携帯無線端末機２２からの光信号を受信し易い位置に設置するのが好ましい。
【００２０】
ここで、評価対象としてシールドボックス２０内に設置される携帯無線端末機２２は、通常の携帯電話機と同様に、アンテナ２２ａ、アンテナ２２ａを介して無線信号を受信する受信回路等の他に、特に、この携帯無線端末機２２には、発光素子、及び、受信電界強度やビット情報等といった受信信号に関する情報を検出して、この受信情報信号を光信号として発光素子から送信する回路が備えられている。
これによって、従来のようにケーブルを用いることなく、図１中に破線矢印で示すように携帯無線端末機２２から受信信号に関する情報が光信号によって光センサ２４へ送信され、シールドボックス２０の外部へ出力される。
【００２１】
シールドボックス２０の外部には、携帯無線端末機２２の評価を行い、また、この評価試験のための制御を行う評価制御手段が設けられている。
この評価制御手段は、光センサ２４に接続された受信及び発信機能を有した簡易基地局２５と、簡易基地局２５で受信された信号を解析するとともにランダムな位相制御電圧を出力するパーソナルコンピュータ２６と、簡易基地局２５から発信された信号を３つの信号に分配する分配器２７と、分配器２７から出力された信号をそれぞれ位相制御する３つの移相器２８ａ〜２８ｃと、パーソナルコンピュータ２６からの位相制御電圧をアナログ変換して各移相器２８ａ〜２８ｃに入力するＤ／Ａ変換器２９と、各移相器２８ａ〜２８ｃから出力された信号を増幅してそれぞれの送信用アンテナ２３ａ〜２３ｃから送信させる増幅器３０ａ〜３０ｃと、を備えている。
【００２２】
上記構成の電磁界環境特性評価システムによると、シールドボックス２０内に設置した携帯無線端末機２２の特性評価が次のようにして実施される。
まず、簡易基地局２５から発信された信号が分配器２７で分配されて各移相器２８ａ〜２８ｃに入力され、パーソナルコンピュータ２６からの位相制御電圧に基づいて、各移相器２８ａ〜２８ｃにより各信号の位相が変化される。そして、これら位相制御がなされた信号は、それぞれ増幅器３０ａ〜３０ｃで増幅されて各送信用アンテナ２３ａ〜２３ｃからシールドボックス２０内に送信される。
なお、増幅器３０ａ〜３０ｃの増幅度は、後述するように信号を受信する携帯無線端末機２２の受信機の電界強度測定回路が飽和しないように、且つ、受信電界強度（ＲＳＳＩ：Received Signal Strength Indicator）レベルのダイナミックレンジが最大となるように設定される。
【００２３】
この結果、各送信用アンテナ２３ａ〜２３ｃから互いにランダムな位相差をもった信号がシールドボックス２０内に送信され、これら信号はシールドボックス２０の内壁面に反射して、様々は方向から入射された信号が携帯無線端末機２２で受信される。
そして、携帯無線端末機２２は電界強度やビット情報等といった所定の受信信号に関する情報信号を発光素子から光信号として送信し、この受信情報信号が光センサ２４を介して簡易基地局２５で受信される。そして、この受信情報信号はパーソナルコンピュータ２６に入力され、受信電界強度やその変動等の解析がなされ、シールドボックス２０内に形成されたフェージング環境下での携帯無線端末機２２の特性が評価される。したがって、パーソナルコンピュータ２５によって送信信号の位相をランダムに制御することにより、種々なフェージング環境下での携帯無線端末機２２の特性を評価することができる。
【００２４】
更に具体的には、送信用アンテナ２３ａ〜２３ｃからランダムな位相差をもった信号が送信されると、シールドボックス２０内の空間フィールドの電界が乱れてランダムな電界強度変動を生ずる。
この結果、シールドボックス２０内の多くの観測点では電界強度に対する累積確率分布は図４中のＢで示すようにレイリー分布に近い分布を呈し、それ以外の観測点では同図中のＡで示すようにライス分布を呈する。なお、図４の横軸は受信電界強度の中央値で正規化されており、縦軸は当該中央値のレベル以下となる累積確率を示している。
【００２５】
また、図５には分布Ｂを示す観測点での電界強度変動を示してあり、横軸は移相器の制御電圧を変更するスイッチング回数（すなわち、サンプリング数）を表している。
本実施形態では、移相器のスイッチング周波数を４０Ｈｚとしており、移相器２８ａ〜２８ｃのスイッチング周波数を変えることにより、シールドボックス２０内に所望のフェージングピッチを有する環境を形成して、携帯無線端末機２２の特性評価を実施することができる。
したがって、電磁界環境特性評価システムを用いることにより、室内において、天候、時間、周囲環境等の影響を受けずに、再現性の高い正確な特性評価を簡易に実施することができる。
【００２６】
ここで、上記した実施形態では、評価対象の携帯無線端末機２２をシールドボックス２０内に静的に設置したが、図６に示すように回転駆動される回転テーブル３１上に携帯無線端末機２２を設置して評価試験を行うようにしてもよい。なお、図６に示す例では、環境の電界に影響を与えない発砲材からなる円筒部材３２を回転テーブル３１上に設置し、その上に携帯無線端末機２２を設置してある。
この回転テーブル３１を回転駆動させた状態で評価試験を実施することにより、様々な方向から到来する無線信号を携帯無線端末機２２に受信させることができ、携帯無線端末機２２のアンテナ指向性を考慮した評価試験を行うことができる。
【００２７】
そして、このように携帯無線端末機２２を回転させる場合には、光センサ２４はシールドボックス２０内に複数個間隔を隔てて設けたり、或いは、携帯無線端末機２２の回転軸に沿った上方位置に設けるのが好ましく、このようにすることによって、携帯無線端末機２２から送信される光信号に方向性があっても、当該光信号を光センサにより安定して受信することができる。なお、各光センサ２４からの信号は合成されて簡易基地局２５に入力される。
また、携帯無線端末機２２を回転させない場合にあっても、光センサ２４を複数個設けて各光センサ２４からの信号を合成して簡易基地局２５に入力するようにしてもよく、これによって一層感度を高めることができる。
【００２８】
図７には、携帯無線端末機２２からの受信情報信号を音声信号の形式で受信する第２実施形態に係る電磁界環境特性評価システムの全体構成を、シールドボックス２０を透視した状態で示してある。
なお、上記した第１実施携帯と同一部分には同一符号を付して重複する説明は省略する。
【００２９】
本実施形態では、シールドボックス２０の携帯無線端末機２２に対向する一壁面に３本の送信用アンテナ２３ａ〜２３ｃが設けられ、また、シールドボックス２０の同一壁面にはマイクロホン３４が設けられており、このマイクロホン３４の受音面もシールドボックス２０の内部空間内に臨んでいる。
なお、本実施形態では全てのアンテナ２３ａ〜２３ｃを同一の壁面に設置しているが、これらアンテナの設置位置には特に限定はなく、例えば図８に示すように送信用アンテナ２３ａ〜２３ｃを互いに異なる壁面に設置するようにしてもよい。
また、マイクロホン３４は、後述するように携帯無線端末機２２からの音声信号を受信し易い位置に設置するのが好ましい。
【００３０】
本実施形態では、評価対象としてシールドボックス２０内に設置される携帯無線端末機２２は、通常の携帯電話機と同様に、アンテナ２２ａ、アンテナ２２ａを介して無線信号を受信する受信回路等の他に、特に、この携帯無線端末機２２には、スピーカ、及び、受信電界強度やビット情報等といった受信信号に関する情報を検出して、この受信情報信号をトーン信号等の音声信号としてスピーカから送信する回路が備えられている。
これによって、従来のようにケーブルを用いることなく、図７中に破線矢印で示すように携帯無線端末機２２から受信信号に関する情報が音声信号によってマイクロホン３４へ送信され、シールドボックス２０の外部へ出力される。
【００３１】
ここで、受信電界強度情報を音声信号とする方法の一例としては、携帯無線端末機２２のＲＳＳＩレベルを音声周波数に対応付ければよい。例えば、電界強度が５０ｄＢｕＶ／ｍのときには５００Ｈｚの音声信号、電界強度が１００ｄＢｕＶ／ｍのときには１０００Ｈｚの音声信号をスピーカから送信し、これをマイクロホン３４で受音して、簡易基地局２５でマイクロホン３４からの受信音声信号の周波数を計測して電界強度を検出する。
【００３２】
なお、本実施形態においても、シールドボックス２０の外部には、携帯無線端末機２２の評価を行い、また、この評価試験のための制御を行う評価制御手段が設けられているが、簡易基地局２５はマイクロホン３４に接続されて、マイクロホン３４で受音した音声信号が入力される。
【００３３】
上記構成の電磁界環境特性評価システムによると、第１実施形態と同様に、各送信用アンテナ２３ａ〜２３ｃから互いにランダムな位相差をもった信号がシールドボックス２０内に送信され、これら信号はシールドボックス２０の内壁面に反射して、様々は方向から入射された信号が携帯無線端末機２２で受信される。そして、携帯無線端末機２２は電界強度やビット情報等といった所定の受信信号に関する情報信号をスピーカから音声信号として送信し、この受信情報信号がマイクロホン３４を介して簡易基地局２５で受信される。そして、この受信情報信号はパーソナルコンピュータ２６に入力され、受信電界強度やその変動等の解析がなされ、シールドボックス２０内に形成されたフェージング環境下での携帯無線端末機２２の特性が評価される。したがって、パーソナルコンピュータ２５によって送信信号の位相をランダムに制御することにより、種々なフェージング環境下での携帯無線端末機２２の特性を評価することができる。
【００３４】
つまり、本実施形態においても、移相器２８ａ〜２８ｃのスイッチング周波数を変えることにより、シールドボックス２０内に所望のフェージング環境を形成して、携帯無線端末機２２の特性評価を実施することができる。
したがって、電磁界環境特性評価システムを用いることにより、室内において、天候、時間、周囲環境等の影響を受けずに、再現性の高い正確な特性評価を簡易に実施することができる。
【００３５】
ここで、上記した第２実施形態では、評価対象の携帯無線端末機２２をシールドボックス２０内に静的に設置したが、図８に示すように回転駆動される回転テーブル３１上に携帯無線端末機２２を設置して評価試験を行うようにしてもよい。なお、図８に示す例では、環境の電界に影響を与えない発砲材からなる円筒部材３２を回転テーブル３１上に設置し、その上に携帯無線端末機２２を設置してある。
この回転テーブル３１を回転駆動させた状態で評価試験を実施することにより、様々な方向から到来する無線信号を携帯無線端末機２２に受信させることができ、携帯無線端末機２２のアンテナ指向性を考慮した評価試験を行うことができる。
【００３６】
そして、このように携帯無線端末機２２を回転させる場合には、マイクロホン３４はシールドボックス２０内に複数個間隔を隔てて設けるのが好ましく、このようにすることによって、携帯無線端末機２２から送信される音声信号に方向性があっても、当該音声信号をマイクロホンにより安定して受信することができる。なお、各マイクロホン３４からの信号は合成されて簡易基地局２５に入力される。
また、携帯無線端末機２２を回転させない場合にあっても、マイクロホン３４を複数個設けて各マイクロホン３４からの信号を合成して簡易基地局２５に入力するようにしてもよく、これによって一層感度を高めることができる。
【００３７】
なお、上記した第１実施形態及び第２実施形態では携帯無線端末機（携帯電話機）を評価対象としたが、本発明は無線端末機一般の評価試験に広く適用することができる。
【００３８】
【発明の効果】
以上説明したように、本発明によると、屋内においてフィールドシミュレーションを行うことができるシステムを簡易な構成によって実現することができ、しかも、評価対象にケーブル等を接続する必要がなくなって、無線端末機の十分な特性評価を精度よく行うことができる。
そして、特に本発明では、無線端末機からの受信情報信号を無線電波とは異なる光信号又は音声信号で出力するようにしたため、試験のために送信する無線電波とこの受信情報信号とがシールドボックス内で干渉してしまう事態が生ぜず、この点での正確な評価を行うことができる。
【図面の簡単な説明】
【図１】  本発明の第１実施形態に係る電磁界環境特性評価システムの構成図である。
【図２】  送信用アンテナの他の配置例を示す図である。
【図３】  相関係数ヒストグラムの一例を示すグラフある。
【図４】  電界強度における累積確率分布を示すグラフである。
【図５】  電界強度の変動を示すグラフである。
【図６】  本発明の第１実施形態に係る電磁界環境特性評価システムの他の構成例を示す図である。
【図７】  本発明の第２実施形態に係る電磁界環境特性評価システムの構成図である。
【図８】  送信用アンテナの他の配置例を示す図である。
【図９】  本発明の第２実施形態に係る電磁界環境特性評価システムの他の構成例を示す図である。
【図１０】  従来の屋外評価方法の一例を説明する図である。
【図１１】  従来の屋内評価方法の一例を説明する図である。
【図１２】  従来の屋内評価方法の他の一例を説明する図である。
【符号の説明】
２０・・・シールドボックス、  ２１・・・電波吸収体、
２２・・・携帯無線端末機、  ２２ａ・・・アンテナ、
２３ａ〜２３ｃ・・・送信用アンテナ、  ２４・・・光センサ、
２５・・・簡易基地局、  ２６・・・パーソナルコンピュータ、
２７・・・分配器、  ２８ａ〜２８ｃ・・・移相器、
３１・・・回転テーブル、  ３４・・・マイクロホン、
【図１】
0003643217.tif 000002
【図２】
0003643217.tif 000003
【図３】
0003643217.tif 000004
【図４】
0003643217.tif 000005
【図５】
0003643217.tif 000006
【図６】
0003643217.tif 000007
【図７】
0003643217.tif 000008
【図８】
0003643217.tif 000009
【図９】
0003643217.tif 000010
【図１０】
0003643217.tif 000011
【図１１】
0003643217.tif 000012
【図１２】
0003643217.tif 000013